(57)【要約】【課題】クーポン等の付加価値情報の配信と、利用を簡便に行うことを目的とすることを目的とする。【解決手段】放送と共に付加価値情報を放送する放送装置３１と、放送装置３１が放送した付加価値情報を受信する受信装置３２１と、受信装置３２１が受信した付加価値情報を格納する付加価値情報格納装置３２２と、付加価値情報格納装置３２２に格納された付加価値情報を利用する携帯電話機３４とを有する付加価値情報利用システムである。【選択図】        図４
2005051435.tif 000002
【特許請求の範囲】
【請求項１】
放送と共に該放送に関する付加価値情報を放送する放送装置において、
放送する放送情報と該放送情報に関する付加価値情報を関係づける付加価値情報管理テーブルと、
前記付加価値情報管理テーブルを参照して、放送する放送情報に関する付加価値情報を抽出する抽出手段と、
前記抽出手段で抽出された付加価値情報を、放送信号に変換するデータ変換手段と、
前記データ変換手段で変換された付加価値情報を前記放送情報と共に放送する付加価値情報送信手段と、を有することを特徴とする放送装置。
【請求項２】
放送情報と共に放送された前記放送情報に関する付加価値情報を格納する格納手段を有する付加価値情報格納装置において、
利用資格を有する移動端末からの要求に対して、前記格納手段から、付加価値情報を読出して、付加価値情報を送信する付加価値情報送出手段と、を有することを特徴とする付加価値情報格納装置。
【請求項３】
前記格納手段に格納された付加価値情報は、一次元若しくは二次元バーコード又は画像又は文字又は数値又はＵＲＬであることを特徴とする請求項２記載の付加価値情報格納装置。
【請求項４】
前記格納手段に格納された付加価値情報が、画像生成用パラメータを有するデータの場合、
前記付加価値情報に基づいて、画像を生成する画像情報生成手段を有し、
該画像情報生成手段で生成された画像を付加価値情報として、要求した移動端末に送出することを特徴とする請求項２又は３記載の付加価値情報格納装置。
【請求項５】
放送情報と共に放送された前記放送情報に関する付加価値情報を格納する格納手段を有する付加価値情報格納装置において、
前記格納手段に格納された付加価値情報が、移動端末の機種毎に異なる場合、
当該付加価値情報受信格納手段を利用する移動端末を登録する登録手段と、
前記登録手段に登録されている移動端末の機種に対応した前記付加価値情報をフィルタするフィルタ手段と、
記登録手段に登録されている移動端末からの要求に対して、前記格納手段から、付加価値情報を読出して、付加価値情報を送信する付加価値情報送出手段と、
を有することを特徴とする付加価値情報格納装置。
【請求項６】
放送情報と共に送信された当該付加価値情報格納装置が使用する移動端末に係るデータを受信して、受信した移動端末に係るデータを前記付加価値情報受信格納手段に格納することを特徴とする請求項２ないし５いずれか一項記載の付加価値情報格納装置。
【請求項７】
放送情報と共に送信された当該付加価値情報格納装置が使用するソフトウエアを受信し、受信したソフトウエアをインストールすることにより、当該付加価値情報格納装置における所定の機能が達成されることを特徴とする請求項２ないし６いずれか一項記載の付加価値情報格納装置。
【請求項８】
放送受信機又は映像再生装置に組み込まれていることを特徴とする請求項２ないし７いずれか一項記載の付加価値情報格納装置。
【請求項９】
放送と共に付加価値情報を放送する放送装置と、前記放送装置が放送した付加価値情報を受信する受信装置と、前記受信装置が受信した付加価値情報を格納する格納手段を有する付加価値情報格納装置と、前記付加価値情報格納装置に格納された付加価値情報を利用する移動端末とを有する付加価値情報利用システムにおいて、
前記移動端末は、前記付加価値情報格納装置に要求して、格納された付加価値情報を受信する受信手段と、更に、該受信手段で受信した付加価値情報を表示する表示手段とを有することを特徴とする付加価値情報利用システム。
【請求項１０】
放送と共に付加価値情報を放送する放送装置と、前記放送装置が放送した付加価値情報を受信する受信装置と、前記受信装置が受信した付加価値情報を格納する格納手段を有する付加価値情報格納装置と、前記付加価値情報格納装置に格納された付加価値情報を利用する移動端末とを有する付加価値情報利用システムにおける付加価値情報利用方法において、
前記移動端末は、前記付加価値情報格納装置に要求して、格納された付加価値情報を受信する受信ステップと、更に、該受信ステップで受信した付加価値情報を表示する表示ステップとを有することを特徴とする付加価値情報利用方法。
【請求項１１】
放送と共に該放送に関する付加価値情報を放送する付加価値情報送信方法において、
放送する放送情報と該放送情報に関する付加価値情報を関係づける付加価値情報管理テーブルを参照して、前記放送する放送情報に関する付加価値情報を抽出する抽出ステップと、
前記抽出ステップで抽出された付加価値情報を、放送信号に変換するデータ変換ステップと、
前記データ変換ステップで変換された付加価値情報を前記放送情報と共に放送する付加価値情報送信ステップと、を有することを特徴とする付加価値情報送信方法。
【発明の詳細な説明】
【０００１】
【発明の属する技術分野】
本発明は、付加価値情報システム、付加価値情報利用方法、放送装置及び付加価値情報格納装置に関する。
【０００２】
【従来の技術】
テレビジョン放送波を用いて、クーポンデータを送り、受信側でそれを受信する可搬型の電子クーポンが知られている。
【０００３】
例えば、下記の特許文献１には、テレビジョン送信信号の垂直ブランキング期間内に送信されたデータ（クーポンデータ）を専用の携帯型の装置で利用する技術が開示されている。具体的には、図１に示されているように、垂直ブランキング期間内のデータ（クーポンデータ）は、コントローラ１２によって復号化され、このコントローラ１２はこのデータ（クーポンデータ）を携帯型電子クーポン１０に送信する。この携帯型データ  クーポン１０は、再転送された符号化データ用受信機１６と、ディスプレー２２と、受信データの記憶装置とを含む。携帯型データ  クーポン１０はディスプレー２２に表示されたデータ（クーポンデータ）をユーザに見せる。
【０００４】
また、下記の特許文献２には、ビデオ信号の水平オーバスキャンエリアを介して配信される符号化クーポンデータを復号化し、記憶しておくための方法とシステムが開示されている。具体的には、図２に示されているように、エレクトロニッククーポンは、放送またはビデオテープから再生できる符号化ビデオ信号から抽出できるクーポンデータによって定義されたクーポンの表現を表示する。エレクトロニッククーポン１００は不揮発性メモリを備え、伝送セッション（例えば、テレビジョン放映番組）の後に続く表示に備えて、クーポンデータを記憶しておくことを可能にしている。エレクトロニッククーポン１００には、ユーザが受け取りたいと思っているクーポンのタイプを、ユーザが事前に選択できるようにするセットアップモードが用意されている。ユーザが選択したものに合致するクーポンデータ  はエレクトロニッククーポンに記憶され、他方、ユーザが選択したものに合致しないクーポンデータは記憶されない。復号器（デコーダ）１０４は符号化ビデオ信号からクーポンデータを抽出し、そのクーポンデータをエレクトロニックコンタクトのレシーバを通してエレクトロニッククーポンに送信する。クーポンデータは、テレビジョンコマーシャル期間にエレクトロニッククーポンに送信できるという利点がある。
【０００５】
ユーザは、例えば、タイヤのコマーシャルのビデオプレゼンテーションをテレビジョンから見ることができ、その間に、そのコマーシャルに関係するクーポンデータは、復号器１０４からエレクトロニッククーポン１００に送られることになる。
【０００６】
また、下記の特許文献３には、図３に示されているように、番組又はコマーシャルと共にクーポン情報を放送／送信システム２０から受信システム３０へ送信又は放送し、受信システムがクーポン情報に基づいてクーポン発行依頼を作成すると共にクーポン情報が表示された番組又はコマーシャルの識別子をクーポン発行依頼に付加し、識別子が付加されたクーポン発行依頼を受信システムからサービスセンタ６０へ送信し、サービスセンタがクーポン発行依頼に基づいてクーポンを発行する技術が開示されている。
【０００７】
【特許文献１】
特表平８−５０９３２９
【０００８】
【特許文献２】
特表２００３−５１９９８３
【０００９】
【特許文献３】
特開２００２−１５０１８５
【００１０】
【発明が解決しようとする課題】
しかしながら、特許文献１及び特許文献２に記載された発明は、テレビジョン放送波を用いて、クーポンデータを送りそれを受信して、可搬型の電子クーポンの表示画面に表示して、クーポンを利用するものは、専用の「可搬型の電子クーポン」が必須であるとするという問題がある。
【００１１】
また、特許文献３に記載された発明は、クーポンを管理するサービスセンタが必須であるとするという問題がある。
【００１２】
本発明は、上記問題に鑑みなされたものであり、クーポン等の付加価値情報の配信と、利用を簡便に行うことを目的とするものである。
【００１３】
【課題を解決するための手段】
上記課題を解決するために、本件発明は、以下の特徴を有する課題を解決するための手段を採用している。
【００１４】
請求項１に記載された発明は、放送と共に該放送に関する付加価値情報を放送する放送装置において、放送する放送情報と該放送情報に関する付加価値情報を関係づける付加価値情報管理テーブルと、前記付加価値情報管理テーブルを参照して、放送する放送情報に関する付加価値情報を抽出する抽出手段と、前記抽出手段で抽出された付加価値情報を、放送信号に変換するデータ変換手段と、前記データ変換手段で変換された付加価値情報を前記放送情報と共に放送する付加価値情報送信手段と、を有することを特徴とする。
【００１５】
請求項２に記載された発明は、放送情報と共に放送された前記放送情報に関する付加価値情報を格納する格納手段を有する付加価値情報格納装置において、利用資格を有する移動端末からの要求に対して、前記格納手段から、付加価値情報を読出して、付加価値情報を送信する付加価値情報送出手段と、を有することを特徴とする。
【００１６】
請求項３に記載された発明は、請求項２記載の付加価値情報格納装置において、前記格納手段に格納された付加価値情報は、一次元若しくは二次元バーコード又は画像又は文字又は数値又はＵＲＬであることを特徴とする。
【００１７】
請求項４に記載された発明は、請求項２又は３記載の付加価値情報格納装置において、前記格納手段に格納された付加価値情報が、画像生成用パラメータを有するデータの場合、前記付加価値情報に基づいて、画像を生成する画像情報生成手段を有し、該画像情報生成手段で生成された画像を付加価値情報として、要求した移動端末に送出することを特徴とする。
【００１８】
請求項５に記載された発明は、放送情報と共に放送された前記放送情報に関する付加価値情報を格納する格納手段を有する付加価値情報格納装置において、前記格納手段に格納された付加価値情報が、移動端末の機種毎に異なる場合、当該付加価値情報受信格納手段を利用する移動端末を登録する登録手段と、前記登録手段に登録されている移動端末の機種に対応した前記付加価値情報をフィルタするフィルタ手段と、記登録手段に登録されている移動端末からの要求に対して、前記格納手段から、付加価値情報を読出して、付加価値情報を送信する付加価値情報送出手段と、を有することを特徴とする。
【００１９】
請求項６に記載された発明は、請求項２ないし５いずれか一項記載の付加価値情報格納装置において、放送情報と共に送信された当該付加価値情報格納装置が使用する移動端末に係るデータを受信して、受信した移動端末に係るデータを前記付加価値情報受信格納手段に格納することを特徴とする。
【００２０】
請求項７に記載された発明は、請求項２ないし６いずれか一項記載の付加価値情報格納装置において、放送情報と共に送信された当該付加価値情報格納装置が使用するソフトウエアを受信し、受信したソフトウエアをインストールすることにより、当該付加価値情報格納装置における所定の機能が達成されることを特徴とする。
【００２１】
請求項８に記載された発明は、請求項２ないし７いずれか一項記載の付加価値情報格納装置が、放送受信機又は映像再生装置に組み込まれていることを特徴とする。
【００２２】
請求項９に記載された発明は、放送と共に付加価値情報を放送する放送装置と、前記放送装置が放送した付加価値情報を受信する受信装置と、前記受信装置が受信した付加価値情報を格納する格納手段を有する付加価値情報格納装置と、前記付加価値情報格納装置に格納された付加価値情報を利用する移動端末とを有する付加価値情報利用システムにおいて、前記移動端末は、前記付加価値情報格納装置に要求して、格納された付加価値情報を受信する受信手段と、更に、該受信手段で受信した付加価値情報を表示する表示手段とを有することを特徴とする。
【００２３】
請求項１０に記載された発明は、放送と共に付加価値情報を放送する放送装置と、前記放送装置が放送した付加価値情報を受信する受信装置と、前記受信装置が受信した付加価値情報を格納する格納手段を有する付加価値情報格納装置と、前記付加価値情報格納装置に格納された付加価値情報を利用する移動端末とを有する付加価値情報利用システムにおける付加価値情報利用方法において、前記移動端末は、前記付加価値情報格納装置に要求して、格納された付加価値情報を受信する受信ステップと、更に、該受信ステップで受信した付加価値情報を表示する表示ステップとを有することを特徴とする。
【００２４】
請求項１１に記載された発明は、放送と共に該放送に関する付加価値情報を放送する付加価値情報送信方法において、放送する放送情報と該放送情報に関する付加価値情報を関係づける付加価値情報管理テーブルを参照して、前記放送する放送情報に関する付加価値情報を抽出する抽出ステップと、前記抽出ステップで抽出された付加価値情報を、放送信号に変換するデータ変換ステップと、前記データ変換ステップで変換された付加価値情報を前記放送情報と共に放送する付加価値情報送信ステップと、を有することを特徴とする。
【００２５】
【発明の実施の形態】
次に、本発明の実施の形態について図面と共に説明する。図４に本実施の形態の全体システムを示す。
【００２６】
図４のシステムは、放送装置３１、家庭・公共施設等３２に設けられた受信装置３２１及び付加価値情報格納装置３２２、携帯電話機３４及びクーポン画像提供装置３３から構成されている。なお、携帯電話機（移動端末）３４は、インターネット対応であることが好ましい。また、付加価値情報格納装置３２２は、家庭・公共施設等３２に設けられた放送受信機、映像再生装置、ＳＴＢ（Ｓｅｔ  Ｔｏｐ  Ｂｏｘ）等に組み込まれていてもよい。
【００２７】
放送装置３１は、一般放送と共に付加価値情報（クーポン等）を放送する。付加価値情報は、後述するように、付加価値情報に係るコンテンツを放送するとき自動的に、コンテンツと共に放送される。付加価値情報は、一次元若しくは二次元バーコード、画像、文字、数値、又はＵＲＬ（Ｕｎｉｆｏｒｍ  Ｒｅｓｏｕｒｃｅ  Ｌｏｃａｔｏｒｓ）の形態で、放送される。
受信装置３２１は、放送装置３１が放送した放送と共に付加価値情報を受信する。後述するように、映像・音声の信号とデータとを分離し、データの中から付加価値情報を付加価値情報格納装置３２２に伝送する。
付加価値情報格納装置３２２は、付加価値情報を格納する格納手段を有し、受信装置３２１が受信した付加価値情報をこの格納手段に格納する。なお、付加価値情報格納装置３２２は、必要に応じて、放送装置が放送した付加価値情報を画像に変換する手段を有する。また、携帯電話機の機種に応じて、付加価値情報が異なる場合は、予め、携帯電話機の機種を登録しておき、付加価値情報を格納する対象を登録した機種の画像に限定したり、また、付加価値情報を画像に変換する場合は、登録した機種に対する画像だけを生成するようにしてもよい。
携帯電話機３４は、付加価値情報格納装置３２２に格納された付加価値情報を要求して、付加価値情報を獲得する。獲得した付加価値情報が、一次元若しくは二次元バーコードである場合は、ユーザは携帯電話機３４の画面に一次元若しくは二次元バーコードを表示して、店頭３５で携帯電話機３４を提示する。店頭３５では、携帯電話機３４に表示された一次元若しくは二次元バーコードを解読して、所定の割引等を行う。
【００２８】
付加価値情報としては、一次元若しくは二次元バーコード、画像、文字、数値、又はＵＲＬの形態で、携帯電話機３４に通知される。携帯電話機３４が得た付加価値情報が、ＵＲＬの場合は、ユーザは、表示されたＵＲＬを選択することにより、当該ＵＲＬのホームページにアクセスして、当該ＵＲＬに対応した画像等（例えば、一次元若しくは二次元バーコード）を獲得する。
【００２９】
放送装置３１から家庭・公共施設等３２に設けられた受信装置３２１への伝送Ａは、有線放送（ＣＡＴＶ等）、衛星放送（ＢＳ、ＣＳ等）、地上波放送（アナログ放送（データ放送）、デジタル放送）等の放送波である。また、付加価値情報格納装置３２２と携帯電話機３４間の通信の伝送Ｂは、ブルートゥース、赤外線、ＵＳＢケーブル等の伝送路であってもよいし、スマートメデア等の媒体を用いてオフラインで行うものでもよい。携帯電話機３４とクーポン画像提供装置３３間の通信Ｃは、インターネット等を介して行われる。
【００３０】
図５に、放送装置の例を示す。図５の放送装置は、メタデータ（付加価値情報）管理システム４１、映像コンテンツ管理システム４２、多重化／送出システム４３、
メタデータ管理テーブル５１及び映像コンテンツ管理テーブル５２から構成されている。メタデータ（付加価値情報）管理システム４１は、メタデータ管理テーブルの作成部４１１、メタデータ登録部４１２及びメタデータ管理部４１３を有し、映像コンテンツ管理システム４２は、メタデータの取得部４２１を有し、多重化／送出システム４３は、符号化部４４６、多重化部４４７及び送信部４４８を有している。
【００３１】
映像コンテンツ管理テーブル５２の例が、図６に示されている。図６の映像コンテンツ管理テーブルは、放送されるチャネル、放送される年月日、放送の開始時間、放送の終了時間、当該放送のスポンサー、当該映像コンテンツのＩＤ（ＣＩＤ）及び所定の情報を付加するメタデータ追加ビットから構成されている。
【００３２】
図５の民放の送信装置においては、一般放送、コマーシャル放送（ここでは、「映像コンテンツ」と言う。）毎にスポンサーがついている。そこで、その映像コンテンツに関するメタデータ（スポンサーが提供するクーポン、そのサービスに付随する付加価値情報）を、テーブル化し、当該映像コンテンツの放送時に、自動的に伝送波に乗せるように構成されている。
【００３３】
メタデータ管理テーブル５１の例が、図７に示されている。図７のメタデータ管理テーブルは、当該映像コンテンツのＩＤ（ＣＩＤ）、当該ＣＩＤのメタデータ（付加価値情報）及び放送用マークアップ言語（ＢＭＬ）で記述されているメタデータ制御情報から構成されている。
【００３４】
例えば、メタデータは、画像（バーコード）データ、バーコードを発生するパラメータデータ、そのサービスに付随する情報等である。また、メタデータ制御情報は、メタデータを受信側に蓄積してもらうための制御コマンドである。受信側では、この情報に基づいて、メタデータを保存するか否かを決める。
【００３５】
また、メタデータ制御情報を用いて、当該メタデータの内容・形態（どの様な形態のメタデータあるか、画像生成のパラメータであるか否か、画像である場合バーコードの種別、その他情報の内容等）を受信側に通知するようにしてもよい。
【００３６】
メタデータ管理システム４１は、メタデータの作成、登録、データの授受等を行う。メタデータ管理システム４１のメタデータ管理テーブルの作成部４１１は、図７に示されているメタデータ管理テーブル５１を作成する。メタデータ登録部４１２は、ウエブインタフェース等を用いて、メタデータを手動で登録する。また、メタデータ管理部４１３は、メタデータの管理を行う。
【００３７】
映像コンテンツ管理システム４２は、映像コンテンツの管理を行う。映像コンテンツ管理システム４２は、当該映像コンテンツに対して紐付けられているメタデータ（クーポン、そのサービスに付随する付加価値情報）とメタデータ制御情報を、メタデータ管理システム４１から取得する。
【００３８】
多重化／送出システム４３は、メタデータをメタデータ変換部４３１で変換した後、放送信号に多重化して、送出する。多重化／送出システム４３から放送される信号について、図８を用いて説明する。
【００３９】
図８の放送波は、ＭＰＥＧ（Ｍｏｖｉｎｇ  Ｐｉｃｔｕｒｅ  Ｅｘｐｅｒｔｓ  Ｇｒｏｕｐ）−２ＴＳ（トランスポートストリーム）方式を用いたデジタル放送の場合の例である。ＭＰＥＧシステムは、複数の映像、音声、字幕、ＢＭＬ（放送用マークアップ言語）、その他のデータストリームで構成される。
【００４０】
１つのプログラムは、映像、音声、字幕、ＢＭＬ、その他のデータ（プライベート・セクション）からなるデータストリームを有し、システムとして、ＰＳＩ（番組特定情報）、ＥＰＧ（電子番組案内）・ＳＩ（番組配列情報）セクション及びＣＡ（限定受信）セクションを有する。
【００４１】
プライベート・セクションは、データヘッダ部６１、プライベート・データ部６２及びチェックビット３２から構成されている。
【００４２】
本発明のメタデータ（付加価値情報）は、プライベート・データ部６２に挿入されて伝送される。
【００４３】
図５に戻り、図５の多重化／送出システム４３は、映像コンテンツ管理システム４２から送出されたメタデータとメタデータ制御情報を、当該放送と共に、自動的に放送波に乗せる。
【００４４】
メタデータは、プライベートセクションに挿入され、メタデータ制御情報は、プライベート・セクション、ＢＭＬセクション等に挿入される。
【００４５】
符号化部４４６は、プライベートセクション信号４３２、ＢＭＬ信号４３３、字幕信号４３４、音声信号４４４及び映像信号４４５をそれぞれ符号化する。符号化された信号は、多重化部４４７で、ＴＳ多重化及び他のＴＳ信号と更に再多重化される。多重化部４４７で多重化された信号が、送信部４４８から放送される。
【００４６】
なお、メタデータ変換部４３１では、必要に応じて、メタデータを画像信号（例えば、一次元若しくは二次元バーコード）に変換することもできる。
【００４７】
メタデータとメタデータ制御情報とが送信されるフローについて、図９を用いて説明する。
▲１▼映像コンテンツ管理システム４２は、放送時間が近づくと、所定時間前に、当該放送に係る「メタデータ」及び「メタデータ制御情報」を、ＣＩＤを明示して、メタデータ管理システム４１に要求する。
▲２▼メタデータ管理システム４１は、要求された「メタデータ」及び「メタデータ制御情報」を返す。
▲３▼映像コンテンツ管理システム４２は、メタデータ管理システム４１から得た「メタデータ」及び「メタデータ制御情報」を、多重化／送出システム４３に引き渡す。なお、この際、映像コンテンツ管理システム４２は、「メタデータ制御情報」を「映像コンテンツ表示用のＢＭＬ情報」に追加後引き渡す。
▲４▼多重化／送出システム４３は、データ変換を行った後、当該映像コンテンツに対して、「メタデータ」及び「メタデータ制御情報追加後のＢＭＬ情報」を格納する。
【００４８】
図１０を用いて送信装置の処理フローを説明する。
【００４９】
ステップＳ１：映像コンテンツ管理システム上の当該ＣＩＤにメタデータ追加ビットが立っているか
ステップＳ２：ＣＩＤにメタデータ追加ビットが立っている場合、映像コンテンツ管理システム４２は、メタデータ管理システム４１に、「メタデータ」及び「メタデータ制御情報」を要求する。
ステップＳ３：メタデータ管理システム４１は、映像コンテンツ管理システム４２に「メタデータ」及び「メタデータ制御情報」を返答する。
ステップＳ４：映像コンテンツ管理システム４２は、「メタデータ制御情報」を「ＢＭＬ情報」に追加する。
【００５０】
ステップＳ５：映像コンテンツ管理システム４２は、「メタデータ」と「ＢＭＬ情報」を多重化／送出システム４３にデータを引き渡す。
【００５１】
ステップＳ６：制御情報を多重化／送出システム４３は、「メタデータ」と「ＢＭＬ情報」を、当該映像コンテンツに対して格納する。
【００５２】
ステップＳ７：多重化／送出システム４３は、プライベートセクション信号４３２、ＢＭＬ信号４３３、字幕信号４３４、音声信号及び映像信号４４５を多重化する。
【００５３】
ステップＳ８：制御情報を多重化／送出システム４３は、多重化された信号を放送する。
【００５４】
次いで、受信側の処理について、図１１〜図１５を用いて説明する。
【００５５】
受信側の処理として、
▲１▼携帯電話機を登録するか否か
▲２▼どの様なメタデータを受信するか
▲３▼画像を生成するか否か
で処理が分かれる。
【００５６】
ここでは、図１１として、携帯電話機を登録し、メタデータとしてバーコードを受信する場合を説明し、図１２として、携帯電話機を登録せずに、メタデータとしてバーコードを受信する場合を説明し、図１３として、携帯電話機を登録し、メタデータとしてバーコードを生成するパラメータを受信する場合を説明し、図１４として、携帯電話機を登録せずに、メタデータとしてバーコードを生成するパラメータを受信する場合を説明し、図１５として、メタデータとしてＵＲＬを受信する場合を説明する。
【００５７】
また、携帯電話機を登録し、メタデータとしてバーコードを受信する場合（図１１）に対応する受信側の装置として、図１９のものが用いられる。また、携帯電話機を登録せずに、メタデータとしてバーコードを受信する場合（図１２）に対応する受信側の装置として、図２０のものが用いられる。また、携帯電話機を登録し、メタデータとしてバーコード生成用のパラメータを受信する場合（図１３）に対応する受信側の装置として、図２１のものが用いられる。また、携帯電話機を登録せずに、メタデータとしてバーコード生成用のパラメータを受信する場合（図１４）に対応する受信側の装置として、図２２のものが用いられる。また、メタデータとしてＵＲＬを受信する場合（図１５）に対応する受信側の装置として、図２３のものが用いられる。
図１１〜図１５の説明を、図１９〜図２３の装置を用いて説明する。
【００５８】
図１１の説明に当たって、図１１に対応する受信側の装置である図１９を説明する。
【００５９】
図１９の装置は、入力ブロック（受信Ｉ／Ｆ部）７１、保存部７２、データ入出部７３、コンテンツ分配部７４、フィルタリング部７５、付加価値情報処理制御部７６及びＣＯＤＥＣ７７から構成されている。なお、コンテンツ分配部７４は、映像音声抽出部７４１及びデータ抽出ブロック７４２を有し、保存部７２は、内部ＨＤＤ／メモリ７２１を有し、データ入出部７３は、赤外線通信部７３１、シリアル通信部７３２及び外部メディア通信部７３３を有している。
【００６０】
付加価値情報処理制御部７６は、付加価値情報処理に係る全体の制御を行う。図１９では、赤外線通信部７３１、シリアル通信部７３２及び外部メディア通信部７３３を制御することにより、携帯電話との通信制御を行う。また、携帯電話機の機種を事前に登録する処理を行う。また、登録された携帯電話機の機種に対応したメタデータ（バーコード）のみをフィルタリングする処理を行う。また、付加価値情報処理に関して、内部ＨＤＤ／メモリ７２１を制御する。
【００６１】
入力ブロック（受信Ｉ／Ｆ部）７１は、放送波を受信し、コンテンツ分配部７４に受信信号を供給する。コンテンツ分配部７４は、映像音声抽出部７４１とデータ抽出ブロック７４２で、マルチメディアコンテンツの分離を行う。コンテンツ分配部７４で分離された映像音声は、ＣＯＤＥＣ７７でアナログ信号等に変換されて、表示部で表示される。一方、コンテンツ分配部７４で分離されたメタデータ（バーコード）は、フィルタリング部７５で、登録された携帯電話機の機種のメタデータのみをフィルタリングする。フィルタリング部７５でフィルタリングされたメタデータ（バーコード）は、内部ＨＤＤ／メモリ７２１に保存される。
【００６２】
内部ＨＤＤ／メモリ７２１は、登録された携帯機種データ、フィルタリング部７５でフィルタリングされたバーコードデータ等を保存する。
【００６３】
データ入力部７３は、赤外線通信部７３１、シリアル通信部７３２及び外部メディア通信部７３３によって、携帯電話機からのデータを受信し、携帯電話機へデータを送信する。携帯電話機から、データ入出部７３を介して、メタデータ（バーコード）の要求があると、付加価値情報処理制御部７６は、内部ＨＤＤ／メモリ７２１に保存されているメタデータ（バーコード）を携帯電話機に送信する。
【００６４】
次いで、図１１の処理フローを説明する。
【００６５】
図１１は、携帯電話機を登録し、メタデータとしてバーコードを受信する場合である。先ず、事前に、携帯電話機の機種を登録する（Ｓ１０）。次いで、入力ブロック（受信Ｉ／Ｆ部）７１で、放送波を受信すると（Ｓ１１）、コンテンツ分配部７４の映像音声抽出部７４１とデータ抽出ブロック７４２で、映像信号とメタデータの分離・抽出を行う（Ｓ１２、Ｓ１３）。抽出された映像音声は、ＣＯＤＥＣ７７でアナログ信号等に変換されて、表示部で表示される。一方、分配されたメタデータ（バーコード）は、内部ＨＤＤ／メモリ７２１に保存されている登録された携帯電話機の機種に基づいて、メタデータ（バーコード）を、フィルタリング部７５でフィルタリングする（Ｓ１４）。
【００６６】
次いで、フィルタリングされたメタデータ（バーコード）を、内部ＨＤＤ／メモリ７２１に保存する（Ｓ１５）。
【００６７】
次いで、携帯電話機からのメタデータ（バーコード）の要求に対して、内部ＨＤＤ／メモリ７２１に保存されているメタデータ（バーコード）を読出して（Ｓ１６）、携帯電話機に送信する（Ｓ１７）。
【００６８】
次いで、図１２の処理フローを説明する。図１２の説明は、図１２に対応する受信側の装置である図２０を用いて説明する。
【００６９】
なお、図２０の受信側の装置は、図１９の受信側の装置と比較して、フィルタリング部７５が無い点、付加価値情報処理制御部８６で、フィルタリング処理制御及び携帯電話機種事前登録処理制御を行わない代わりに機種判別部を行う点、及び内部ＨＤＤ／メモリ７２１で携帯電話機種データを保存しない点で異なる。
【００７０】
図１２は、携帯電話機を登録せずに、メタデータとしてバーコードを受信する場合である。入力ブロック（受信Ｉ／Ｆ部）７１で、放送波を受信すると受信すると（Ｓ３０）、コンテンツ分配部７４の映像音声抽出部７４１とデータ抽出ブロック７４２で、映像信号とメタデータの分離・抽出を行う（Ｓ３１、Ｓ３２）。抽出された映像音声は、ＣＯＤＥＣ７７でアナログ信号等に変換されて、表示部で表示される。一方、分配されたメタデータ（バーコード）は、内部ＨＤＤ／メモリ７２１に保存される（Ｓ３３）。
【００７１】
次いで、携帯電話機からのメタデータ（バーコード）の要求に対して、携帯電話機の機種を携帯電話機からの信号から判別し（Ｓ３４）、内部ＨＤＤ／メモリ７２１に保存されているメタデータ（バーコード）を読出して（Ｓ３５）、携帯電話機に送信する（Ｓ３６）。
【００７２】
次いで、図１３の処理フローを説明する。図１３の説明は、図１３に対応する受信側の装置である図２１を用いて説明する。
【００７３】
なお、図２１の受信側の装置は、図１９の受信側の装置と比較して、フィルタリング部７５に代えて、バーコード生成部８７を有し、付加価値情報処理制御部９６で、フィルタリング処理制御を行わない代わりにバーコード生成制御を行う点で異なる。
【００７４】
図１３は、携帯電話機を登録し、メタデータとしてバーコード生成用のパラメータを受信する場合である。先ず、事前に、携帯電話機の機種を登録する（Ｓ４０）。次いで、入力ブロック（受信Ｉ／Ｆ部）７１で、放送波を受信すると（Ｓ４１）、コンテンツ分配部７４の映像音声抽出部７４１とデータ抽出ブロック７４２で、映像信号とメタデータの分離・抽出を行う（Ｓ４２、Ｓ４３）。抽出された映像音声は、ＣＯＤＥＣ７７でアナログ信号等に変換されて、表示部で表示される。一方、分配されたメタデータ（バーコード生成用のパラメータ）は、バーコード生成部８７により、内部ＨＤＤ／メモリ７２１に保存されている登録された携帯電話機の機種に対応するバーコードが生成される（Ｓ４４）。
【００７５】
次いで、バーコード生成部８７で生成されたメタデータ（バーコード）を、内部ＨＤＤ／メモリ７２１に保存する（Ｓ４５）。
【００７６】
次いで、携帯電話機からのメタデータ（バーコード）の要求に対して、内部ＨＤＤ／メモリ７２１に保存されているメタデータ（バーコード）を読出して（Ｓ４６）、携帯電話機に送信する（Ｓ４７）。
【００７７】
次いで、図１４の処理フローを説明する。図１４の説明は、図１４に対応する受信側の装置である図２２を用いて説明する。
【００７８】
なお、図２２の受信側の装置は、図２１の受信側の装置と比較して、付加価値情報処理制御部１０６で、携帯電話機種事前登録処理制御を行わない代わりに機種判別部を行う点及び内部ＨＤＤ／メモリ７２１で携帯電話機種データを保存しない点で異なる。
【００７９】
図１４は、携帯電話機を登録せずに、メタデータとしてバーコードを生成するパラメータを受信する場合である。入力ブロック（受信Ｉ／Ｆ部）７１で、放送波を受信すると（Ｓ５０）、コンテンツ分配部７４の映像音声抽出部７４１とデータ抽出ブロック７４２で、映像信号とメタデータの分離・抽出を行う（Ｓ５１、Ｓ５２）。抽出された映像音声は、ＣＯＤＥＣ７７でアナログ信号等に変換されて、表示部で表示される。一方、分配されたメタデータ（バーコード生成用のパラメータ）は、バーコード生成部８７により、バーコードが生成され、内部ＨＤＤ／メモリ７２１に保存される（Ｓ５３）。
【００８０】
次いで、携帯電話機からのメタデータ（バーコード）の要求に対して、携帯電話機の機種を携帯電話機からの信号から判別し（Ｓ５４）、内部ＨＤＤ／メモリ７２１に保存されているメタデータ（バーコードを生成するパラメータ）を読出して、バーコードを生成し（Ｓ５５）、生成されたバーコードを携帯電話機に送信する（Ｓ５６）。
【００８１】
次いで、図１５の処理フローを説明する。図１５の説明は、図１５に対応する受信側の装置である図２３を用いて説明する。
【００８２】
なお、図２３の受信側の装置は、図１９の受信側の装置と比較して、フィルタリング部７５が無い点、付加価値情報処理制御部８６で、フィルタリング処理制御及び携帯電話機種事前登録処理制御を行わない点、及び内部ＨＤＤ／メモリ７２１で携帯電話機種データを保存せず、また、バーコードデータに代えてＵＲＬデータを保存する点で異なる。
【００８３】
図１５は、携帯電話機を登録せずに、メタデータとしてＵＲＬを受信する場合である。放送波を、受信すると（Ｓ６０）、入力ブロック（受信Ｉ／Ｆ部）７１で受信し、コンテンツ分配部７４の映像音声抽出部７４１とデータ抽出ブロック７４２で、マルチメディアコンテンツの抽出を行う（Ｓ６１、Ｓ６２）。分配された映像音声は、ＣＯＤＥＣ７７でアナログ信号等に変換されて、表示部で表示される。一方、分配されたメタデータ（ＵＲＬ）は、内部ＨＤＤ／メモリ８２１に保存される（Ｓ６３）。
【００８４】
次いで、携帯電話機からのメタデータ（バーコード）の要求に対して、内部ＨＤＤ／メモリ８２１に保存されているメタデータ（ＵＲＬ）を読出して、携帯電話機に送信する（Ｓ６４）。
【００８５】
次いで、携帯電話機における代表的な処理フローを、図１６〜図１８を用いて説明する。図１６は、ＳＴＢ等の付加価値情報格納装置に携帯電話機の機種を登録し、メタデータとして、バーコードを受信する場合で、図１７は、ＳＴＢ等の付加価値情報格納装置に携帯電話機の機種を登録せずに、メタデータとして、バーコードを受信する場合で、図１８は、メタデータとして、ＵＲＬを受信する場合である。
【００８６】
図１６は、図１１の携帯電話機の機種を付加価値情報格納装置に登録し、メタデータとしてバーコードを受信する場合の処理フローに対応した携帯電話機における処理フローである。
事前に、携帯電話機は、携帯電話機の機種を付加価値情報格納装置に登録する（Ｓ２０）。次いで、付加価値情報格納装置（図１９の受信側の装置）に対して、メタデータ（バーコード）を要求し（Ｓ２１）、付加価値情報格納装置から、メタデータ（バーコード）を取得する（Ｓ２２）。
【００８７】
次いで、携帯電話機は、取得したメタデータ（バーコード）を内部メモリに保存する（Ｓ２３）。
【００８８】
次いで、携帯電話機の画面にメタデータ（バーコード）表示し（Ｓ２４）、店頭に携帯電話機を提示して、メタデータ（バーコード）を利用する（Ｓ２５）。
【００８９】
図１７は、携帯電話機の機種を登録せずに、メタデータとして、バーコードを受信する場合で、図１６におけるステップＳ２０「携帯電話機登録」が無いだけで、その他のステップは同じなので、説明を省略する。
【００９０】
図１８は、図１５のメタデータとしてＵＲＬを受信する場合の処理フローに対応した携帯電話機における処理フローである。
携帯電話機は、付加価値情報格納装置（図２３の受信側の装置）に対して、メタデータ（バーコード）を要求し（Ｓ７０）、付加価値情報格納装置から、メタデータ（ＵＲＬ）を取得する（Ｓ７１）。
【００９１】
次いで、携帯電話機は、取得したメタデータ（ＵＲＬ）のＵＲＬ（バーコード提供サーバのＵＲＬ）にアクセスする（Ｓ７３）。バーコード提供サーバから、当該ＵＲＬに対応した画像（一次元若しくは二次元バーコード）を獲得する（Ｓ７２）。次いで、携帯電話機は、取得したメタデータ（バーコード）を携帯電話機の画面にメタデータ（バーコード）表示し（Ｓ７４）、店頭に携帯電話機を提示して、メタデータ（バーコード）を利用する（Ｓ７５）。
【００９２】
なお、ＳＴＢ等の付加価値情報格納装置で使用するにおけるソフトウエアは、放送装置は放送波に乗せて送信し、ＳＴＢ内の情報処理装置は受信装置が受信したソフトウエアをインストールするようにしてもよい。また、ソフトウエアがインストールされたＳＴＢ内の情報処理装置が、所定の付加価値情報処理機能を実現するようにしてもい。
【００９３】
また、新しい携帯電話機が発売されたとき、新しい携帯電話機に係る必要なデータを、放送装置は放送波に乗せて送信し、ＳＴＢ等の付加価値情報格納装置は受信装置が受信したデータを格納するようにしてもよい。
【００９４】
なお、上記実施の形態において、携帯電話機を例に説明したが、本発明は、携帯電話機に限らず、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の移動端末に適用することができる。
【００９５】
また、上記実施の形態において、付加価値情報格納装置として、ＳＴＢの場合を例にして説明したが、本発明はＳＴＢに限らず、例えば、放送受信機、映像再生装置等において実施することができる。
【００９６】
本実施の形態によれば、ユーザは、携帯電話機の機種に関係なく、付加価値情報を利用することが可能となる。
【００９７】
また、携帯電話機の機種を、ＳＴＢ等の付加価値情報格納装置に登録する場合は、ＳＴＢ等の付加価値情報格納装置における無駄なデータの格納を防ぐことができる。
【００９８】
また、メタデータをＵＲＬとすることにより、ＳＴＢ等の付加価値情報格納装置で扱うデータを少なくすることができる。また、ＳＴＢ等の付加価値情報格納装置において、携帯電話機の機種を意識せずに処理することができる。
【００９９】
【発明の効果】
上述の如く本発明によれば、クーポン等の付加価値情報の配信と、利用を簡便に行うことができる。
【０１００】
【図面の簡単な説明】
【図１】従来の技術を説明するための図（その１）である。
【図２】従来の技術を説明するための図（その２）である。
【図３】従来の技術を説明するための図（その３）である。
【図４】全体システムを説明するための図である。
【図５】放送装置の例を説明するための図である。
【図６】映像コンテンツ管理テーブルの例である。
【図７】メタデータ管理テーブルの例である。
【図８】放送波の例である。
【図９】メタデータとメタデータ制御情報とが送信されるフローを説明するための図である。
【図１０】送信装置の処理フローを説明するための図である。
【図１１】受信処理フローを説明するための図（その１）である。
【図１２】受信処理フローを説明するための図（その２）である。
【図１３】受信処理フローを説明するための図（その３）である。
【図１４】受信処理フローを説明するための図（その４）である。
【図１５】受信処理フローを説明するための図（その５）である。
【図１６】携帯電話機における処理フローを説明するための図（その１）である。
【図１７】携帯電話機における処理フローを説明するための図（その２）である。
【図１８】携帯電話機における処理フローを説明するための図（その３）である。
【図１９】受信側の装置を説明するための図（その１）である。
【図２０】受信側の装置を説明するための図（その２）である。
【図２１】受信側の装置を説明するための図（その３）である。
【図２２】受信側の装置を説明するための図（その４）である。
【図２３】受信側の装置を説明するための図（その５）である。
【符号の説明】
３１    放送装置
３２    家庭・公共施設等
３３    クーポン画像提供装置
３４    携帯電話機
３５    店頭
４１    メタデータ管理システム
４２    映像コンテンツ管理システム
４３    多重化／送出システム
５１    メタデータ管理テーブル
５２    映像コンテンツ管理テーブル
６１    プライベート・データヘッダ部
６２    プライベート・データ部
６３    チェックビット
７１    入力ブロック（受信Ｉ／Ｆ部）
７２    保存部
７３    データ入出部
７４    コンテンツ分配部
７５    フィルタリング部
７６、８６、９６、１０６    付加価値情報処理制御部
７７    ＣＯＤＥＣ
８７    バーコード生成部
【図１】
2005051435.tif 000003
【図２】
2005051435.tif 000004
【図３】
2005051435.tif 000005
【図４】
2005051435.tif 000006
【図５】
2005051435.tif 000007
【図６】
2005051435.tif 000008
【図７】
2005051435.tif 000009
【図８】
2005051435.tif 000010
【図９】
2005051435.tif 000011
【図１０】
2005051435.tif 000012
【図１１】
2005051435.tif 000013
【図１２】
2005051435.tif 000014
【図１３】
2005051435.tif 000015
【図１４】
2005051435.tif 000016
【図１５】
2005051435.tif 000017
【図１６】
2005051435.tif 000018
【図１７】
2005051435.tif 000019
【図１８】
2005051435.tif 000020
【図１９】
2005051435.tif 000021
【図２０】
2005051435.tif 000022
【図２１】
2005051435.tif 000023
【図２２】
2005051435.tif 000024
【図２３】
2005051435.tif 000025